(57)【特許請求の範囲】
【請求項１】
光源を収容し所定方向へ光を照射する灯具と、
前記灯具に一体的に設けられて前記光源の発する熱を放熱する放熱フィンと、
前記灯具とは別個に設けられて前記光源を点灯させる箱形の電源部と、
を有し、
前記灯具は、前記放熱フィンの一端部側に設けられ、かつ側面に取付バネが設けられた枠体に支持されており、
前記放熱フィンの他端部側から、前記放熱フィンの一部として照明方向に略直交する方向に張り出す引っ掛け部を設けるとともに、
前記放熱フィンに対して前記引っ掛け部と反対側に、前記放熱フィンの一端部側から他端部側へと斜めに引き出される一つの引っ掛けバネを設けた照明器具。
【発明の詳細な説明】
【技術分野】
【０００１】
本発明は、電源部から電力の供給を受けて光源を点灯させ、光源の発する熱を放熱フィンによって放熱する照明器具に関するものである。
【背景技術】
【０００２】
従来より、天井等の取り付け部位に取り付ける照明器具で、光源が発する熱を放熱フィンにより放熱する照明器具が知られている（例えば、特許文献１参照）。
図７に示すように、特許文献１に記載の照明器具１００は、例えば天井に設けられた取付孔に挿入して取り付けるダウンライトである。
【０００３】
照明器具１００は、内部に光源であるＬＥＤ（図示省略）を収容する器具本体（以後、「灯具」という。）１０１を有する。また、灯具１０１の照明方向と反対側（図７において上側）には、ＬＥＤが発した熱を放熱するために、薄板状の放熱フィン１０２が多数設けられている。また、放熱フィン１０２の上部には、灯具１０１の投影範囲内に収容され、かつ、放熱フィン１０２の外側に突出可能なアーム部１０４が設けられている。アーム部１０４には、ＬＥＤに点灯電力を供給する電源部１０３が取り付けられている。
【０００４】
従って、アーム部１０４を折りたたんだ状態では、電源部１０３は灯具１０１の投影範囲内に収まるので、輸送梱包する際や施工する際に便利である。
また、アーム部１０４を放熱フィン１０２から外側に移動させることにより（図７に示す状態）、ＬＥＤと電源部１０３とが離れるので、ＬＥＤの熱が電源装置へ伝わりにくいという利点がある。
【先行技術文献】
【特許文献】
【０００５】
【特許文献１】特開２００８−１７１５８４号公報（第１図）
【発明の概要】
【発明が解決しようとする課題】
【０００６】
しかしながら、灯具と電線等で電気的に接続された電源部が、灯具と別々に被取付部に取り付けられる場合がある。
このような場合には、灯具と電源部とを別々に搬送したり、取り付けたりすることができない。このため、電源部を天井裏等に配線されている商用電源に接続する際に、灯具と電源部とを保持しながら、脚立の上等の高所で作業を行わねばならず、作業性が悪いという問題があった。
【０００７】
本発明は、従来の問題を解決するためになされたもので、灯具と電線等で電気的に接続された電源部を、灯具と別々で被取付部に取り付ける際に、作業性を改善できる照明器具を提供することを目的とする。
【課題を解決するための手段】
【０００８】
本発明の照明器具は、光源を収容し所定方向へ光を照射する灯具と、前記灯具に一体的に設けられて前記光源の発する熱を放熱する放熱フィンと、前記灯具とは別個に設けられて前記光源を点灯させる箱形の電源部と、を有し、前記灯具は、前記放熱フィンの一端部側に設けられ、かつ側面に取付バネが設けられた枠体に支持されており、前記放熱フィンの他端部側から、前記放熱フィンの一部として照明方向に略直交する方向に張り出す引っ掛け部を設けるとともに、前記放熱フィンに対して前記引っ掛け部と反対側に、前記放熱フィンの一端部側から他端部側へと斜めに引き出される一つの引っ掛けバネを設けたものである。
【発明の効果】
【０００９】
本発明は、放熱フィンの一部から照明方向に略直交する方向に張り出す引っ掛け部を設けるとともに、放熱フィンに対して引っ掛け部と反対側に引っ掛けバネを設けたので、引っ掛け部および引っ掛けバネを取付孔に引っ掛けて灯具を保持できる。これにより、灯具から手を離して、電源部を保持して結線作業ができるので、作業性が改善されるという効果を有する照明器具を提供できる。
【図面の簡単な説明】
【００１０】
【図１】本発明に係る実施形態の照明器具の全体斜視図
【図２】電源部の斜視図
【図３】引っ掛け部および引っ掛けバネにより灯具を取付孔に一時的に取り付けた状態の断面図
【図４】灯具を取付孔に一時的に保持する動作を示す斜視図
【図５】（Ａ）は取付孔に灯具を仮保持した状態を上方から見た斜視図であり、（Ｂ）は下方から見た斜視図
【図６】電源部の結線を行う状態を示す斜視図
【図７】従来の照明器具の斜視図
【発明を実施するための形態】
【００１１】
以下、本発明に係る実施形態の照明器具について、図面を用いて説明する。
図１に示すように、本発明に係る実施形態の照明器具１０は、被取付部である天井１１に形成された取付孔１２（図３参照）に埋設して下方を照明するダウンライトとすることができる。
【００１２】
照明器具１０は、光源であるＬＥＤ２１（図３参照）を収容して所定方向へ照明光を照射する灯具２０を有する。灯具２０は、円柱形状の枠体２３に、回動可能（図１中矢印Ａ参照）に支持されており、照明方向の調整が可能となっている。枠体２３の下端（図１において下端）には、鍔部材２４が取り付けられ、枠体２３の側面には複数個（ここでは、例えば３個設けられているが図１においては２個のみ図示する。）の取付バネ２５が放射状に外側へ張り出して設けられている。
従って、灯具２０は、天井１１の下面に鍔部材２４を当接させ、取付バネ２５が天井１１の上面（天井裏）を下方へ押圧することにより、鍔部材２４と取付バネ２５とで天井１１を挟んで取り付けられる。
【００１３】
灯具２０には、ＬＥＤ２１を点灯させる電力を供給する電源部３０が、電線３１で接続されており、天井裏１１１（図３参照）に、灯具２０とは別々に載置あるいは取り付けられる。
図２に示すように、電源部３０は、矩形箱形の筐体３２を有し、例えば長手方向両端に天井１１に載置あるいは固定するための取付部３３を有する。また、電源部３０は、天井裏１１１に配線されている商用電源の電源線１３に接続するための接続端子台３４を有しており、電源線１３の先端１３１を接続端子台３４に差し込みことにより電気的に接続されるようになっている。
【００１４】
図１に示すように、灯具２０には、ＬＥＤ２１が発する熱を放熱する複数枚の薄板状の放熱フィン２２が一体的に設けられている。放熱フィン２２は、灯具２０の回動方向と反対側に設けられている幅広の第１放熱フィン２２１と、回動方向側に設けられている幅狭な第２放熱フィン２２２を有する。
なお、第１放熱フィン２２１と、第２放熱フィン２２２を総称する場合には、放熱フィン２２と記すこととする。
【００１５】
図１および図３に示すように、放熱フィン２２の一部から、照明方向に略直交する方向に張り出して引っ掛け部２６が設けられている。引っ掛け部２６は、ある程度の幅および厚さを有して、灯具２０を支持するのに十分な剛性を有する。
ここでは、引っ掛け部２６は、放熱フィン２２の一部として、第１放熱フィン２２１の上端部から、照明方向に略直交するように、第１放熱フィン２２１の上端部に沿って外側へ延長して設けられている。引っ掛け部２６は、第１放熱フィン２２１と一体的に設けることができるが、後付けで第１放熱フィン２２１に別部材として取り付けることもできる。
なお、ここでは、引っ掛け部２６を第１放熱フィン２２１に設けたが、第２放熱フィン２２２に設けることも可能である。
【００１６】
放熱フィン２２に対して引っ掛け部２６と反対側である第２放熱フィン２２２に、引っ掛けバネ２７を設けた。引っ掛けバネ２７は、斜め上方に向かって設けられており、上方へ弾性変形させたときに、少なくとも引っ掛けバネ２７の先端がフィン２２の頂部よりも上方に達する長さを有する。また、引っ掛けバネ２７は、取付孔１２の外周縁を係止しやすいように、多段に折り曲げて形成するのが望ましい。
なお、引っ掛け部２６を第２放熱フィン２２２側に設けた場合には、引っ掛けバネ２７は第１放熱フィン２２１側に設けることになる。
【００１７】
図３に示すように、引っ掛け部２６を取付孔１２の一方の側に引っ掛け、取付孔１２の他方の側に引っ掛けバネ２７の先端を引っ掛ける。このとき、引っ掛けバネ２７は、図３中矢印Ａ方向に付勢されているので、灯具２０は取付孔１２に保持（仮止め）される。この状態では、引っ掛けバネ２７の周囲に空間が設けられるので、電源線１３を引き出すことができる。
【００１８】
次に、照明器具１０を天井１１の取付孔１２に取り付ける作業について説明する。
照明器具１０の灯具２０は、天井１１の取付孔１２に埋め込まれて、鍔部材２４と取付バネ２５との間に天井１１を挟持して取り付けられる。
一方、電源部３０は、天井裏１１１に配線されている商用電源の電源線１３に接続されて、灯具２０とは別個に天井裏１１１に載置あるいは取り付けられる。このため、灯具２０を天井１１に取り付ける前に、電源部３０に電源線１３を接続して天井裏１１１に収容する。
【００１９】
図１に示したように、電源部３０は電線３１によって灯具２０と接続されているため、電源部３０および灯具２０の両方を保持して取付を行わねばならない。
このため、図４に示すように、天井裏１１１に配線されている電源線１３を取付孔１２から引き出す。次に、引っ掛け部２６を上にするように灯具を傾けて、引っ掛け部２６を取付孔１２から天井裏１１１に挿入して引っ掛ける（図４中矢印Ａ参照）。
【００２０】
次いで、引っ掛けバネ２７を灯具２０側へ弾性変形させて、先端部を取付孔１２に挿入する。引っ掛けバネ２７は、図５（Ａ）中矢印Ａ方向に常時付勢されている。このため、引っ掛けバネ２７から手を離すことにより、引っ掛けバネ２７の付勢力で灯具２０は引っ掛け部２６側へ押され、図５（Ａ）に示すように、取付孔１２に係止される。
なお、図５（Ｂ）には、灯具２０を取付孔１２に引っ掛けた状態を、下方から見た図が示されている。
【００２１】
灯具２０が取付孔１２に一時的に係止されたら、図６に示すように、灯具２０から手を離して電源線１３を電源部３０に接続する。
すなわち、電源部３０を手で保持し、取付孔１２から引き出されている電源線１３の先端１３１を、電源部３０の接続端子台３４に差し込んで、接続する。
【００２２】
電源線１３と電源部３０との接続が完了したら、引っ掛けバネ２７を灯具２０側に弾性変形させて、灯具２０を取付孔１２から取り出す。そして、電源部３０を取付孔１２から天井裏１１１に挿入して、載置あるいは取り付けをする。
その後、灯具２０を取付孔１２に取り付ける。なお、取付孔１２への灯具２０の取り付け作業は、従来よりよく知られているものなので、説明を省略する。
【００２３】
以上、説明した本発明に係る実施形態の照明器具１０によれば、灯具２０に収容されているＬＥＤ２１は、電線３１で灯具２０と接続された電源部３０から電力の供給を受けて点灯し、所定方向を照明する。このときＬＥＤ２１が発する熱は、灯具２０に一体的に設けられている放熱フィン２２によって放熱される。
電源部３０は、灯具２０とは別個に天井１１に載置あるいは取り付けられるが、予め、電線３１で灯具２０に接続されている場合には、別々に搬送や取り付けを行うことができない。このため、灯具２０と電源部３０の両方を保持して、取付作業をしなければならない。このとき、放熱フィン２２の一部から照明方向に略直交する方向に張り出す引っ掛け部２６を設けるとともに、放熱フィン２２に対して引っ掛け部２６と反対側に引っ掛けバネ２７を設けたので、引っ掛け部２６および引っ掛けバネ２７を取付孔１２に引っ掛けて灯具２０を一時的に保持できる。これにより、灯具２０から手を離して、電源部３０を保持して結線作業ができるので、作業性が改善される。
【００２４】
なお、本発明の照明器具は、前述した実施形態に限定されるものでなく、適宜な変形，改良等が可能である。
例えば、前述した実施形態においては、電源部３０として矩形箱形のものを例示したが、その他の形状の電源部３０にも適用可能である。
【００２５】
また、灯具２０を取付孔１２に取り付ける際に、予め電源線１３を取付孔１２から引き出しておく場合を例示したが、灯具２０を取付孔１２に保持した後に、引っ掛けバネ２７の近傍の隙間から引き出すようにすることも可能である。
【００２６】
また、放熱フィン２２の一部として放熱フィン２２の頂部から引っ掛け部２６を延設したが、放熱フィン２２の高さ方向途中位置から外側に張り出すように設けることも可能である。
【符号の説明】
【００２７】
１０  照明器具
２０  灯具
２１  ＬＥＤ（光源）
２２  放熱フィン
２６  引っ掛け部
２７  引っ掛けバネ
３０  電源部
【図１】
0005830679.tif 000002
【図２】
0005830679.tif 000003
【図３】
0005830679.tif 000004
【図４】
0005830679.tif 000005
【図５】
0005830679.tif 000006
【図６】
0005830679.tif 000007
【図７】
0005830679.tif 000008